(57)【要約】【課題】ボクサーパンツ、ブリーフ、トランクス、スライデイングパンツ、スパッツ等の運動競技に着用する最適な男性用インナーパンツを提供することを課題とする。【解決手段】ンナーパンツ本体１の股上部分１ａにポケット部３を設け、ポケット部３にファールカップ５を装着した運動競技用インナーパンツにおいて、ポケット部３の底部に開口部４を設けると共に、ポケット部３上部内面とこれに対応するインナーパンツ本体１の股上部分１ａには面ファスナー６，６を設け、一方ファールカップ５の下端部５ａを凸状に形成し、凸状の下端部５ａを開口部４より股下に突出させるようにしてファールカップ５をポケット部３内に装着した運動競技用インナーパンツ。【選択図】図１
0003128669.tif 000002
【実用新案登録請求の範囲】
【請求項１】
インナーパンツ本体の股上部分にポケット部を設け、該ポケット部にファールカップを装着したインナーパンツにおいて、ポケット部の底部に開口部を設け、上記ファールカップの下端部を開口部より突出させるようにしたことを特徴とするインナーパンツ。
【請求項２】
ファールカップとしては、下端部を凸状にしたものを使用する請求項１記載のインナーパンツ。
【請求項３】
ポケット部の上部内面とこれに対応するインナーパンツ本体の股上部分にファスナーを設けた請求項１記載のインナーパンツ。
【請求項４】
野球競技に着用する以外、ボクサーパンツ、ブリーフ、トランクス、スライデイングパンツ、スパッツ等の各種運動競技に着用する男性用インナーパンツである請求項１記載のインナーパンツ。
【考案の詳細な説明】
【技術分野】
【０００１】
この考案は、ボクサーパンツ、ブリーフ、トランクス、スライデイングパンツ、スパッツ等の運動競技に着用する男性用インナーパンツに関するものである。
【背景技術】
【０００２】
軟式少年野球（学童部・少年部）においては、近時キャッチャーを含めた内野手全員に局部を保護するファールカップの着用を義務付ける方向にあり、スライデイングパンツなどの従来のインナーパンツにおいても、股上部にポケット部を設け、該ポケット部にはファールカップを装着したものが市販されている。
【０００３】
その他に、整形具を入れるためのポケットを設けたショーツ（実開平1-129203号公報）、パッド収納部を設けた男性用水着などのパンツ（特開平9-78302号公報）等が開示されている。
【特許文献１】実開平1-129203号公報、特開平9-78302号公報
【考案の開示】
【考案が解決しようとする課題】
【０００４】
しかし、上述の従来のインナーパンツについてみれば、図４に示すように、インナーパンツ本体の股上部にポケット形状に裁断されたポケット生地の両側部及び底部を逢着してポケット部を形成し、該ポケット部にはファールカップを装着した構造のものであり（図４参照）、このような構造ではファールカップを装着した時にポケット部の隅にファールカップとの間に隙間Ｓが生じ、このためファールカップがプレー中に盲動してフィットせず、局部をしっかりと覆うことができないため、プレー中に違和感を感じることが屡々あった。
【０００５】
また、これはキャッチャー以外の内野手が装着した場合、走る、捕る、投げるといったプレー中の動きの妨げになる。
【０００６】
更に、着用時にファールカップが出っ張ってしまい、見た目に恥ずかしく、或いはキャッチャーのファールチップのように股下から突き上げるようなボールに対しては対応できなかった。
【課題を解決するための手段】
【０００７】
この考案は、上記実情に鑑み、インナーパンツ本体の股上部分にポケット部を設け、該ポケット部にファールカップを装着したインナーパンツにおいて、ポケット部の底部に開口部を設け、上記ファールカップの下端部を開口部より突出させるようにしたインナーパンツを提案するものである。
【考案の効果】
【０００８】
即ち、この考案ではポケット部の底部に開口部を設け、ファールカップの下端部を該開口部より突出させてあるため、る、捕る、投げるといったプレー中にもポケット部に装着したファールカップが盲動せず、フィットして違和感がなく、プレーの妨げとならない。
【０００９】
また、ファールカップはその下端部をポケット部の開口部より突出させているため、股上部分に密着して固定され、ファールカップの出っ張り感がなく、人の目を気にせずにプレーに集中できる。
【００１０】
更に、この考案ではポケット部の底部に開口部を設けることにより、ファールカップの下端部で股下まで覆われ、局所を無理なく保護され、したがってキャッチャーのファールチップのように股下から突き上げるボールにも対応できる。
【００１１】
なお、ポケット部内に装着されるファールカップとしては、下端部を凸状にしたものが開口部より突出させた場合、安定してポケット部内でのファールカップの盲動を防ぐことができる。
【００１２】
また、ポケット部の上部内面とこれに対応するインナーパンツ本体の股上部分との間には面ファスナーを設け、ポケット部内にファールカップを装着後、ポケット部の上端部を上記面ファスナーの係合により閉じるようにすれば、プレー中のファールカップの盲動を
更に効果的に防ぐことができる。
【００１３】
また、この考案に係るインナーパンツは野球競技に着用するものに限らず、ボクサーパンツ、ブリーフ、トランクス、スライデイングパンツ、スパッツ等の運動競技に着用する男性用インナーパンツに適用できる。
【考案を実施するための最良の形態】
【００１４】
インナーパンツ本体の股上部分にポケット部を設け、該ポケット部にファールカップを装着した運動競技用インナーパンツにおいて、ポケット部の底部に開口部を設けると共に、ポケット部上部内面とこれに対応するインナーパンツ本体の股上部分には面ファスナーを設け、一方上記ファールカップの下端部を凸状に形成し、該凸状の下端部を開口部より股下に突出させるようにしてファールカップをポケット部内に装着した運動競技用インナーパンツ。
【実施例１】
【００１５】
以下、この考案を図示の実施例に基づいて詳細に説明すると、１はインナーパンツ本体、１ａはインナーパンツ本体１の表面の股上部分、２はポケット生地、２ａ，２ｂはポケット生地２の両側部、２ｃはポケット生地２の底部である。
【００１６】
ポケット生地２はその両側部２ａ，２ｂを股上部分１ａの両側部に位置させて逢着し、ポケット部３を形成すると共に、その底部２ｃを股上部分１ａの下端部に位置させて逢着せず開口部４とする。
【００１７】
一方、５は凸状の下端部５ａを形成したファールカップで、ファールカップ５は凸状の下端部５ａを開口部４から突出させるようにしてポケット部３内に装着する。
【００１８】
なお、この実施例ではポケット部３の上部内面とこれに対応する股上部分１ａの表面との間には面ファスナー６，６が設けられ、ポケット部３内にファールカップ５を装着後、ポケット部３の上端部を面ファスナー６，６の係合により閉じるようにしてある。
【００１９】
この考案は以上のように構成されるが、ファールカップ５は凸状の下端部５ａを開口部４より突出させてポケット部３内に装着されているため、プレー中にも盲動せず、フィットして違和感がなく、走る、捕る、投げるといったプレーの妨げとはならない。
【００２０】
また、ファールカップ５は凸状の下端部５ａをポケット部３の開口部４より突出させて股上部分１ａに密着して固定されているため、ファールカップ５による出っ張り感がなく、したがって人の目を気にせずにプレーに集中できる。
【００２１】
更に、この考案ではファールカップ５の凸状の下端部５ａをポケット部３の開口部４より股下まで覆うように突出させているため、局所が無理なく保護され、したがってキャッチャーのファールチップのように股下から突き上げるボールにも対応できる。
【００２２】
なお、この実施例ではインナーパンツ本体の股上部分１ａ表面にポケット部３を形成する例について述べたが、勿論インナーパンツ本体の股上部分１ａの裏面にポケット部３を形成してもよい。
【産業上の利用可能性】
【００２３】
以上要するに、この考案によればボクサーパンツ、ブリーフ、トランクス、スライデイングパンツ、スパッツ等の運動競技に着用する最適な男性用インナーパンツを提供できる。
【図面の簡単な説明】
【００２４】
【図１】この考案に係わるインナーパンツの一実施例を示すもので、（ａ）は正面図、（ｂ）は側面図
【図２】同上の実施例におけるインナーパンツ本体を示すもので、（ａ）は正面図、（ｂ）はＡ−Ａ方向から見た断面図
【図３】同上の実施例におけるファールカップを示すもので、（ａ）は正面図、（ｂ）は側面図
【図４】従来のインナーパンツを示すもので、（ａ）は正面図、（ｂ）は側面図
【符号の説明】
【００２５】
１はインナーパンツ本体
１ａはインナーパンツ本体の股上部分
２はポケット生地
２ａ，２ｂはポケット生地の両側部
２ｃはポケット生地の底部
３はポケット部
４は開口部
５はファールカップ
５ａは凸状の下端部
６，６は面ファスナー
【図１】
0003128669.tif 000003
【図２】
0003128669.tif 000004
【図３】
0003128669.tif 000005
【図４】
0003128669.tif 000006